(57)【特許請求の範囲】
【請求項１】
クランク室（６ａ）を有するクランクケース（６），シリンダボア（７ａ）を有するシリンダブロック（７），並びに吸気ポート（９）及び排気ポート（１０）を有するシリンダヘッド（８）からなるエンジン本体（１）と，クランクケース（６）に支承されてクランク室（６ａ）に収容されるクランク軸（１３）と，シリンダボア（７ａ）に嵌装されると共にクランク軸（１３）に連接されるピストン（１５）と，シリンダヘッド（８）に取付けられて吸気ポート（９）及び排気ポート（１０）を開閉する吸気弁（１８）及び排気弁（１９）と，クランク軸（１３）の回転に連動して吸気弁（１８）及び排気弁（１９）を開閉駆動する動弁機構（５３）と，クランク軸（１３）の一端部に設けられる動力取出し機構（４９）とを含む，ハンドヘルド型四サイクルエンジンにおいて，
動弁機構（５３）を，吸気弁（１８）及び排気弁（１９）を開閉駆動すべくシリンダヘッド（８）に回転自在に支承されるカム軸（２６）と，エンジン本体（１）の外側に配置されてクランク軸（１３）及びカム軸（２６）間を連動させる乾式のタイミング伝動装置（３５）とで構成し，また潤滑装置を，潤滑用オイル（Ｏ）を貯留するオイルタンク（４０）と，このオイルタンク（４０）内で貯留オイル（Ｏ）からオイルミストを生成するオイルミスト生成手段（５６）と，前記貯留オイル（Ｏ）の上方でオイルタンク（４０）及びクランク室（６ａ）間を連通する通孔（５５）と，クランク室（６ａ）及び，カム軸（２６）を収容すべくシリンダヘッド（８）に形成された動弁カム室（２１）間を連通するオイル送り導管（６０）と，クランク室（６ａ）に生ずる圧力脈動の正圧をオイル送り導管（６０）から動弁カム室（２１）に導く弁手段（６１）と，動弁カム室（２１）及びオイルタンク（４０）間を連通するオイル戻し導管（７８）とで構成すると共に，オイル送り導管（６０）及びオイル戻し導管（７８）の少なくとも何れか一方をエンジン本体（１）外に配設したことを特徴とする，ハンドヘルド型四サイクルエンジンの潤滑装置。
【請求項２】
請求項１記載のハンドヘルド型四サイクルエンジンの潤滑装置において，
シリンダヘッド（８）に，動弁カム室（２１）の上部に隣接してオイル戻し導管（７８）が接続される吸い上げ室（７４）を設け，この吸い上げ室（７４）を，高低位置を異にする複数のオリフィス（７３）を介して動弁カム室（２１）に連通したことを特徴とする，ハンドヘルド型四サイクルエンジンの潤滑装置。
【発明の詳細な説明】
【０００１】
【発明の属する技術分野】
本発明は，主としてトリマその他の携帯型作業機の動力源となるハンドヘルド型四サイクルエンジンに関し，特に，クランク室を有するクランクケース，シリンダボアを有するシリンダブロック，並びに吸気ポート及び排気ポートを有するシリンダヘッドからなるエンジン本体と，クランクケースに支承されてクランク室に収容されるクランク軸と，シリンダボアに嵌装されると共にクランク軸に連接されるピストンと，シリンダヘッドに取付けられて吸気ポート及び排気ポートを開閉する吸気弁及び排気弁と，クランク軸の回転に連動して吸気弁及び排気弁を開閉駆動する動弁機構と，クランク軸の，エンジン本体の一端部に設けられる動力取出し機構とを含む四サイクルエンジンの改良に関する。
【０００２】
【従来の技術】
かゝるハンドヘルド型四サイクルエンジンは，例えば特開平１０−２８８０１号公報に開示されるように，既に知られている。
【０００３】
【発明が解決しようとする課題】
ハンドヘルド型四サイクルエンジンは，その排ガスが比較的クリーンであることから，環境の汚染防止は勿論のこと，エンジンを携える使用者の健康確保の上に有効である。しかしながら，その構造が二サイクルエンジンよりは複雑であるため，軽量化が難しいという難点がある。軽量化は，特にハンドヘルド型四サイクルエンジンにとって作業性を良好にする上で重要な課題の一つである。
【０００４】
ところが，上記公報に開示されているハンドヘルド型四サイクルエンジンでは，シリンダヘッド頭部に設けられる吸，排気弁を開閉駆動する動弁機構をプッシュロッド及びロアアームを使用するタイプに構成し，そのプッシュロッド及びそれを駆動するカム軸等を収容する動弁カム室をエンジン本体の側壁に形成しているため，エンジン本体が必然的に大型化してしまい，エンジンの軽量化を困難にしている。
【０００５】
本発明は，かゝる点に鑑みてなされたもので，エンジン本体のコンパクト化を可能にして，軽量で作業性の良好な前記ハンドヘルド型四サイクルエンジンを提供することを目的とする。
【０００６】
【課題を解決するための手段】
上記目的を達成するために，本発明は，クランク室を有するクランクケース，シリンダボアを有するシリンダブロック，並びに吸気ポート及び排気ポートを有するシリンダヘッドからなるエンジン本体と，クランクケースに支承されてクランク室に収容されるクランク軸と，シリンダボアに嵌装されると共にクランク軸に連接されるピストンと，シリンダヘッドに取付けられて吸気ポート及び排気ポートを開閉する吸気弁及び排気弁と，クランク軸の回転に連動して吸気弁及び排気弁を開閉駆動する動弁機構と，クランク軸の一端部に設けられる動力取出し機構とを含む，ハンドヘルド型四サイクルエンジンにおいて，動弁機構を，吸気弁及び排気弁を開閉駆動すべくシリンダヘッドに回転自在に支承されるカム軸と，エンジン本体の外側に配置されてクランク軸及びカム軸間を連動させる乾式のタイミング伝動装置とで構成し，また潤滑装置を，潤滑用オイルを貯留するオイルタンクと，このオイルタンク内で貯留オイルからオイルミストを生成するオイルミスト生成手段と，前記貯留オイルの上方でオイルタンク及びクランク室間を連通する通孔と，クランク室及び，カム軸を収容すべくシリンダヘッドに形成された動弁カム室間を連通するオイル送り導管と，クランク室に生ずる圧力脈動の正圧をオイル送り導管から動弁カム室に導く弁手段と，動弁カム室及びオイルタンク間を連通するオイル戻し導管とで構成すると共に，オイル送り導管及びオイル戻し導管の少なくとも何れか一方をエンジン本体外に配設したことを第１の特徴とする。尚，前記オイルミスト生成手段は後述する実施例中のオイルスリンガ５６に対応し，前記弁手段は一方向弁６１に対応する。
【０００７】
この第１の特徴によれば，エンジンをＯＨＣ型に構成すると共に，タイミング伝動装置をエンジン本体外側に配設して乾式とすることにより，エンジン本体の側壁にタイミング伝動装置を収容する伝動室を特別に設ける必要がなくなり，したがってエンジン本体の薄肉化及びコンパクト化を図り，エンジン全体の大幅な軽量化を達成することができる。また一方向弁がクランク室の圧力脈動の正圧成分を動弁カム室側へ送ることにより，エンジン本体外側のオイルタンク内で生成されたオイルミストをオイル送り導管及びオイル戻し導管を通してクランク室，動弁カム室，オイルタンクへと循環させて，エンジンの如何なる運転姿勢でもその内部を潤滑することができる。しかも，そのオイルの循環のためにオイルポンプを特別に設ける必要もなく，構成の簡素化，延いてはコストの低減に寄与し得る。
【０００８】
また本発明は，第１の特徴に加えて，シリンダヘッドに，動弁カム室の上部に隣接してオイル戻し導管が接続される吸い上げ室を設け，この吸い上げ室を，高低位置を異にする複数のオリフィスを介して動弁カム室に連通したことを第２の特徴とする。
【０００９】
この第２の特徴によれば，動弁カム室でオイルミストが液化して溜まっても，その液化オイルは，エンジンの正立，倒立の状態に拘らず，何れかのオリフィスを通して吸い上げ室に吸い上げられてオイルタンクに戻されるので，動弁カム室にオイルが滞留することを防ぐことができる。
【００１０】
【発明の実施の形態】
本発明の実施の形態を，添付図面に示す本発明の実施例に基づいて説明する。
【００１１】
図１は本発明のハンドヘルド型四サイクルエンジンの一使用例を示す斜視図，図２は上記四サイクルエンジンの縦断側面図，図３は図２の要部拡大図，図４は図３のカム軸周りの拡大縦断面図，図５は図３の５−５線断面図，図６は上記エンジンの潤滑装置系統図，図７は図３の７−７線断面図，図８は図７の８−８線断面図，図９はヘッドカバーの底面図，図１０はエンジンの種々の運転姿勢におけるシリンダヘッドでの溜まりオイルの吸い上げ作用説明図，図１１はオイル送り導管及びオイル戻し導管の変形例を示す，図７に対応した断面図である。
【００１２】
図１に示すように，ハンドヘルド型四サイクルエンジンＥは，例えば動力トリマＴの動力源として，その駆動部に取付けられる。動力トリマＴは，その作業状態によりカッタＣを種々の方向に向けて使用されるので，その都度エンジンＥも大きく傾けられ，あるいは逆さにされ，その運転姿勢は一定しない。
【００１３】
先ず，このハンドヘルド型四サイクルエンジンＥの全体的構成について，図２〜図５により説明する。
【００１４】
図２，図３及び図５に示すように，上記ハンドヘルド型四サイクルエンジンＥのエンジン本体１には，その前後に気化器２及び排気マフラ３がそれぞれ取付けられ，気化器２の吸気道入口にはエアクリーナ４が装着される。またエンジン本体１の下面には合成樹脂製の燃料タンク５が取付けられる。
【００１５】
エンジン本体１は，クランク室６ａを有するクランクケース６，一つのシリンダボア７ａを有するシリンダブロック７，並びに燃焼室８ａ及び該室に開口する吸，排気ポート９，１０を有するシリンダヘッド８からなっており，シリンダブロック７とシリンダヘッド８とは一体に鋳造され，そのシリンダブロック７の下端に，それと別個に鋳造されたクランクケース６がボルトにより接合される。このクランクケース６は，その中央で左右に分割された第１及び第２ケース半体６Ｌ，６Ｒで構成され，両ケース半体６Ｌ，６Ｒはボルト１２で相互に接合される。シリンダブロック７及びシリンダヘッド８の外周には多数の冷却フィン３８が形成される。
【００１６】
クランク室６ａに収容されるクランク軸１３は，第１及び第２ケース半体６Ｌ，６Ｒにボールベアリング１４，１４′を介して回転自在に支承されると共に，シリンダボア７ａに嵌装されたピストン１５にコンロッド１６を介して連接される。また第１及び第２ケース半体６Ｌ，６Ｒには，上記ベアリング１４，１４′外側に隣接してクランク軸１３の外周面に密接するオイルシール１７，１７′が装着される。
【００１７】
シリンダヘッド８には，吸気ポート９及び排気ポート１０をそれぞれ開閉する吸気弁１８及び排気弁１９がシリンダボア７ａの軸線と平行に設けられ，また点火栓２０が，その電極を燃焼室８ａの中心部に近接させて螺着される。
【００１８】
吸気弁１８及び排気弁１９は，シリンダヘッド８に形成された動弁カム室２１において弁ばね２２，２３により閉弁方向に付勢される。また動弁カム室２１において，吸気弁１８及び排気弁１９の頭部には，シリンダヘッド８に上下揺動自在に軸支されたカムフォロワ２４，２５が重ねられ，これらカムフォロワ２４，２５を介して吸気弁１８及び排気弁１９を開閉するカム軸２６が，クランク軸１３と平行にして，動弁カム室２１の左右両側壁ボールベアリング２７，２７′を介して回動自在に支承される。一方のベアリング２７が装着される動弁カム室２１の一側壁は，シリンダヘッド８と一体に成形されており，この一側壁には，カム軸２６の外周面に密接するオイルシール２８が装着される。動弁カム室２１の他側壁には，該室２１へのカム軸２６の挿入を可能にする挿入口２９が設けられており，カム軸２６の挿入後，この挿入口２９を閉鎖する側壁キャップ３０に他方のベアリング２７′が装着される。この側壁キャップ３０は，シール部材３１を介して挿入口２９に嵌合された上，シリンダヘッド８にボルトで結合される。
【００１９】
図３及び図４に明示するように，カム軸２６は，前記オイルシール２８が在る側でシリンダヘッド８の外側方へ一端部を突出させている。これと同じ側でクランク軸１３も一端部をクランクケース６の外側方に突出させており，その一端部に歯付きの駆動プーリ３２が固着され，これより歯数が２倍の歯付きの被動プーリ３３が前記カム軸２６の一端部に固着される。そして，両プーリ３２，３３に歯付きのタイミングベルト３４が巻掛けられ，クランク軸１３がカム軸２６を２分の１の減速比をもって駆動し得るようになっている。上記カム軸２６及びタイミング伝動装置３５によって動弁機構５３が構成される。
【００２０】
こうして，エンジンＥはＯＨＣ型に構成され，またタイミング伝動装置３５は，エンジン本体１外側に配置される乾式とされる。
【００２１】
エンジン本体１とタイミング伝動装置３５との間には，エンジン本体１にボルト３７で固定される合成樹脂製のベルトカバー３６が配置され，エンジン本体１の放射熱のタイミング伝動装置３５への影響を避けるようになっている。
【００２２】
またエンジン本体１には，タイミング伝動装置３５の一部の外側面を覆うように配置される合成樹脂製のオイルタンク４０がボルト４１により固着され，さらにこのオイルタンク４０の外側面にリコイル式スタータ４２（図２参照）が取付けられる。
【００２３】
再び図２において，クランク軸１３の，タイミング伝動装置３５と反対側の他端部もクランクケース６の外側方に突出しており，その一端部にはフライホイール４３がナット４４で固着される。このフライホイール４３は，冷却羽根を兼ねるべく内側面に多数の冷却羽根４５，４５…を一体に備えている。またフライホイール４３の外側面には，複数の取付けボス４６（図２には，そのうちの１個を示す）が形成されており，この各取付けボス４６に遠心シュー４７が揺動自在に軸支される。この遠心シュー４７は，後述する駆動軸５０に固着されるクラッチドラム４８と共に遠心クラッチ４９を構成するもので，クランク軸１３の回転数が所定値を超えると，遠心シュー４７が，それ自体の遠心力によりクラッチドラム４８の内周壁に圧接して，クランク軸１３の出力トルクを駆動軸５０に伝達するようになる。この遠心クラッチ４８よりも，フライホイール４３は大径になっている。
【００２４】
エンジン本体１及び付属機器を覆うエンジンカバー５１は，タイミング伝動装置３５の部分で，フライホイール４３側の第１カバー半体５１ａと，スタータ４２側の第２カバー半体５１ｂとに分割され，それぞれエンジン本体１に固着される。第１カバー半体５１ａには，クランク軸６と同軸に並ぶ円錐台状の軸受ホルダ５８が固着され，この軸受ホルダ５８は，前記カッタＣを，ベアリング５９を介して支持するものであり，この軸受ホルダ５８に空気取り入れ口５２が設けられ，冷却羽根４５，４５…の回転に伴い外気をエンジンカバー５１内に取り入れるようになっている。またエンジンカバー５１及び軸受ホルダ５８には，燃料タンク５の下面を覆う台座５４が固着される。
【００２５】
而して，クランク軸１３及びカム軸２６間を連動させるタイミング伝動装置３５が乾式に構成されて，エンジン本体１の外側に配設されるので，エンジン本体１の側壁には，該装置３５を収容する室を特別に設ける必要がなくなり，したがってエンジン本体１の薄肉化及びコンパクト化を図り，エンジンＥ全体の大幅な軽量化を達成することができる。
【００２６】
しかも，シリンダブロック７を間に置いて，クランク軸１３の両端部にタイミング伝動装置３５と遠心クラッチ４８の遠心シュー４７とが連結されるので，クランク軸１３の両端部での重量バランスが良好で，エンジンＥの重心をクランク軸１３の中央部に極力近づけることができ，軽量化と相俟って，エンジンＥの作業性を向上させることができる。のみならず，エンジンＥの作動中，タイミング伝動装置３５及び駆動軸５０による負荷は，クランク軸１３の両端部に分散して作用することになるため，クランク軸１３及びそれを支持するベアリング１４，１４′への荷重の集中を回避して，それらの耐久性をも向上させることができる。
【００２７】
またエンジン本体１と遠心シュー４７との間において，遠心シュー４７より大径で冷却羽根４５を有するフライホイール４３がクランク軸１３に固着されるので，フライホイール４３によるエンジンＥの大型化を極力回避しながら，冷却羽根４５の回転により，遠心クラッチ４８に邪魔されることなく，空気取り入れ口５２から外気を吸入してシリンダブロック７及びシリンダヘッド８周りに的確に供給でき，それらの冷却性を高めることができる。
【００２８】
さらにエンジン本体１にはオイルタンク４０がタイミング伝動装置３５の外側に隣接して取付けられるので，オイルタンク４０がタイミング伝動装置３５の少なくとも一部を覆うことになり，該伝動装置３５の他の部分を覆う第２カバー半体５１ｂと協働して，該伝動装置３５を保護することができる。しかもこのオイルタンク４０とフライホイール４３との，エンジン本体１を間に置いた対向配置により，エンジンＥの重心をクランク軸１３の中心部により近づけることができる。
【００２９】
次に，図３〜図１０により上記エンジンＥの潤滑系について説明する。
【００３０】
図３に示すように，クランク軸１３の一端部は，オイルタンク４０の内外両側壁に装着されたオイルシール３９，３９′に密接しながらオイルタンク４０を貫通するように配置されており，オイルタンク４０の内部とクランク室６ａとの間を連通する通孔５５がクランク軸１３に設けられる。オイルタンク４０には潤滑用オイルＯが貯留されており，その貯留量は，上記通孔５５のオイルタンク４０内への開口端をエンジンＥの如何なる運転姿勢でも常にオイルＯの液面上に露出させるように設定される。
【００３１】
オイルタンク４０内において，クランク軸１３にオイルスリンガ５６がナット５７で固着される。オイルスリンガ５６は，クランク軸１３に嵌着される中心部から互いに半径方向反対側へ延出すると共に軸方向反対側に屈曲した２枚のブレード５６ａ，５６ｂを備えており，クランク軸１３によりオイルスリンガ５６が回転されると，エンジンＥの如何なる運転姿勢でも，２枚のブレード５６ａ，５６ｂの少なくとも何れか一方が，オイルタンク４０内にオイルＯを飛散させ，オイルミストを生成するようになっている。
【００３２】
図３，図６及び図７において，クランク室６ａはオイル送り導管６０を介して動弁カム室２１に接続され，そのオイル送り導管６０には，クランク室６ａから動弁カム室２１側への一方向のみの流れを許容する一方向弁６１が介裝される。オイル送り導管６０は前記ベルトカバー３６に，その一側縁に沿って一体に形成され，このオイル送り導管６０の下端部は弁室６２に形成される。ベルトカバー３６には，弁室６２からベルトカバー３６の裏側に突出する入口管６３が一体に形成され，この入口管６３は，クランク室６ａに連通するように，クランクケース６下部の接続孔６４にシール部材６５を介して嵌合される。弁室６２には，入口管６３から弁室６２への一方向への流れを許容させるべく，前記一方向弁６１が配設される。この一方向弁６１は，図示例の場合，リード弁からなっている。
【００３３】
またベルトカバー３６には，オイル送り導管６０の上端からベルトカバー３６の裏側に突出する出口管６６が一体に形成され，この出口管６６は，動弁カム室２１に連通するように，シリンダヘッド８側部の接続孔６７に嵌合される。
【００３４】
こうしてオイル送り導管６０と連通した動弁カム室２１は，図４に示すように，カム軸２６に設けられた，横孔６８ａと縦孔６８ｂからなる気液分離通路６８を介して側壁キャップ３０内のブリーザ室６９に連通され，このブリーザ室６９は，ブリーザパイプ７０を介して前記エアクリーナ４内に連通される。
【００３５】
図４，図５及び図９に明示するように，シリンダヘッド８には，動弁カム室２１の開放上面を閉鎖するヘッドカバー７１がシール部材７２を介して接合される。このヘッドカバー７１により，シリンダヘッド８に，複数のオリフィス７３，７３…を介して動弁カム室２１に連通する吸い上げ室７４が形成される。この吸い上げ室７４は，動弁カム室２１の上面に沿った偏平な形状を成しており，その底壁の四隅に４つのオリフィス７３，７３…が穿設される。またその底壁には，その中央部でカム軸２６の軸線と直交する方向に間隔を置いて並んで動弁カム室２１内に突出する長短２本の吸い上げ管７５，７６が一体に形成されており，これらにもオリフィス７３，７３が設けられる。
【００３６】
図６〜図８に示すように，吸い上げ室７４は，他方において，オイル戻し導管７８を介してオイルタンク４０内と連通される。オイル戻し導管７８はベルトカバー３６に，オイル送り導管６０とは反対側の他側縁に沿って一体に形成される。ベルトカバー３６には，オイル戻し導管７８の上端からベルトカバー３６の裏側に突出する入口管７９が一体に形成されており，この入口管７９は，吸い上げ室７４と連通するように，ヘッドカバー７１に形成された出口管８０にコネクタ８１を介して接続される。
【００３７】
またベルトカバー３６には，オイル戻し導管７８の下端からベルトカバー３６の表側に突出する出口管８２が一体に形成されており，この出口管８２は，オイルタンク４０内に連通するように，オイルタンク４０に設けられた戻し孔８３に嵌合される。戻し孔８３の開口端は，エンジンＥの如何なる運転姿勢でもオイルタンク４０内のオイルの液面上に露出するように，オイルタンク４０内の中心部近傍に配置される。
【００３８】
尚，オイルタンク４０の外方に突出したクランク軸１３の先端には，前記リコイルスタータ４２によって駆動される被動部材８４が固着される。
【００３９】
而して，エンジンＥの運転中，クランク軸１３の回転によりオイルタンク４０においてオイルスリンガ５６が潤滑用オイルＯを飛散させてオイルミストを生成すると，ピストン１５の上昇運動によりクランク室６ａが減圧したとき，そのオイルミストは通孔５５を通してクランク室６ａに吸入され，クランク軸１３やピストン１５周りを潤滑する。次いでピストン１５の下降運動によりクランク室６ａが昇圧すると，一方向弁６１の開弁により上記オイルミストはクランク室６ａで発生したブローバイガスと共にオイル送り導管６０を昇って動弁カム室２１に供給され，カム軸２６やカムフォロワ２４，２５等を潤滑する。
【００４０】
動弁カム室２１内のオイルミスト及びブローバイガスが回転中のカム軸２６の気液分離通路６８に入ると，該通路６８内で気液が遠心分離され，液化したオイルは気液分離通路６８の横孔６８ａを通して動弁カム室２１に戻されるが，ブローバイガスは，エンジンＥの吸気行程時，ブリーザ室６９，ブリーザパイプ７０及びエアクリーナ４を順次経由してエンジンＥに吸入される。
【００４１】
ところで，動弁カム室２１は，上記のように気液分離通路６８，ブリーザ室６９及びブリーザパイプ７０を介してエアクリーナ４内に連通しているので，動弁カム室２１の圧力は，大気圧もしくはそれより若干低圧に保たれる。
【００４２】
一方，クランク室６ａは，その圧力脈動の正圧成分のみを一方向弁６１から吐出することから平均的に負圧状態となり，その負圧は，通孔５５を介してオイルタンク４０に伝達し，更にオイル戻し導管７８を介して吸い上げ室７４に伝達するので，吸い上げ室７４は，動弁カム室２１よりも低圧，オイルタンク４０内は吸い上げ室７４よりも低圧となる。その結果，圧力の移動が動弁カム室２１から吸い上げ管７５，７６及びオリフィス７３，７３…を通して吸い上げ室７４へ，更にオイル戻し導管７８を通してオイルタンク４０へと生ずるので，それに伴い動弁カム室２１内のオイルミストや，動弁カム室２１内で液化して溜まったオイルは吸い上げ管７５，７６及びオリフィス７３，７３…を通して吸い上げ室７４に吸い上げられ，そしてオイル戻し導管７８を下ってオイルタンク４０に還流する。
【００４３】
その際，前述のように，吸い上げ室７４の底壁の四隅に４つのオリフィス７３，７３…が穿設され，またその底壁の中央部から動弁カム室２１に突出して，カム軸２６の軸線と直交する方向に間隔を置いて並ぶ長短２本の吸い上げ管７５，７６にもオリフィス７３，７３が設けられているので，図１０に示すように，エンジンＥの正立状態（Ａ）は勿論，左方傾け状態（Ｂ），右方傾け状態（Ｃ），左方横転状態（Ｄ），右方横転状態（Ｅ），倒立状態（Ｆ）など，如何なる運転姿勢でも，動弁カム室２１に溜まったオイルには，６つのオリフィス７３，７３…の何れかが浸かることになり，そのオイルを吸い上げ室７４に吸い上げることができる。
【００４４】
かくして，オイルタンク４０内でミスト化されたオイルを，クランク室６ａの圧力脈動と，一方向弁６１の機能を利用して，ＯＨＣ型四サイクルエンジンＥのクランク室６ａ及び動弁カム室２１に供給し，それをオイルタンク４０に還流させるので，エンジンＥの如何なる運転姿勢においても，そのエンジン内部をオイルミストにより確実に潤滑することができ，しかもそのオイルミストの循環のための専用のオイルポンプは不要であり，構造の簡素化を図ることができる。
【００４５】
また合成樹脂製のオイルタンク４０のみならず，クランク室６ａ及び動弁カム室２１間を結ぶオイル送り導管６０，並びに吸い上げ室７４及びオイルタンク４０間を結ぶオイル戻し導管７８は，エンジン本体１外に配設されるので，エンジン本体１の薄肉化及びコンパクト化を何ら妨げず，エンジンＥの軽量化に大いに寄与することができる。特に，外部配置のオイル送り導管６０及びオイル戻し導管７８は，エンジン本体１からの熱の影響を受け難くなるので，潤滑用オイルＯの過熱を回避することができる。またオイル送り導管６０及びオイル戻し導管７８とベルトカバー３６との一体化により，部品点数の削減と組立性の向上に寄与し得る。
【００４６】
図１１は，オイル送り導管６０及びオイル戻し導管７８の変形例を示すもので，この場合，オイル送り導管６０及びオイル戻し導管７８は，ベルトカバー３６とは分離したゴム等の可撓性材料からなるチューブで構成される。その他の構成は，前実施例と同様であるので，図中，前実施例との対応部分には，それと同一の参照符号を付して，その説明を省略する。
【００４７】
この変形例によれば，オイル送り導管６０及びオイル戻し導管７８を接続する部位が何処にあっても，これら導管６０，７８を適当に撓ませることにより自由に配管することができ，レイアウトの自由度を広げることができる。
【００４８】
本発明は，上記実施例に限定されるものではなく，その要旨の範囲を逸脱することなく種々の設計変更が可能である。例えば，一方向弁６１に代えて，クランク軸１３に連動して，オイル送り導管６０をピストン１５の下降時に導通し，その上昇時に遮断するように作動するロータリバルブを設けることもできる。
【００４９】
【発明の効果】
以上のように本発明の第１の特徴によれば，クランク室を有するクランクケース，シリンダボアを有するシリンダブロック，並びに吸気ポート及び排気ポートを有するシリンダヘッドからなるエンジン本体と，クランクケースに支承されてクランク室に収容されるクランク軸と，シリンダボアに嵌装されると共にクランク軸に連接されるピストンと，シリンダヘッドに取付けられて吸気ポート及び排気ポートを開閉する吸気弁及び排気弁と，クランク軸の回転に連動して吸気弁及び排気弁を開閉駆動する動弁機構と，クランク軸の一端部に設けられる動力取出し機構とを含む，ハンドヘルド型四サイクルエンジンにおいて，動弁機構を，吸気弁及び排気弁を開閉駆動すべくシリンダヘッドに回転自在に支承されるカム軸と，エンジン本体の外側に配置されてクランク軸及びカム軸間を連動させる乾式のタイミング伝動装置とで構成し，また潤滑装置を，潤滑用オイルを貯留するオイルタンクと，このオイルタンク内で貯留オイルからオイルミストを生成するオイルミスト生成手段と，前記貯留オイルの上方でオイルタンク及びクランク室間を連通する通孔と，クランク室及び，カム軸を収容すべくシリンダヘッドに形成された動弁カム室間を連通するオイル送り導管と，クランク室に生ずる圧力脈動の正圧をオイル送り導管から動弁カム室に導く弁手段と，動弁カム室及びオイルタンク間を連通するオイル戻し導管とで構成すると共に，オイル送り導管及びオイル戻し導管の少なくとも何れか一方をエンジン本体外に配設したので，エンジン本体の側壁にタイミング伝動装置を収容する伝動室を特別に設ける必要がなくなり，エンジン本体の薄肉化及びコンパクト化を図り，エンジン全体の大幅な軽量化を達成することができる。またエンジン本体外側のオイルタンク内で生成されたオイルミストをオイル送り導管及びオイル戻し導管を通してクランク室，動弁カム室，オイルタンクへと循環させて，エンジンの如何なる運転姿勢でもその内部を潤滑することができる。しかも，そのオイルの循環のためにオイルポンプを特別に設ける必要もなく，構成の簡素化，延いてはコストの低減に寄与し得る。特に，クランク室及び動弁カム室間を結ぶオイル送り導管，並びに動弁カム室及びオイルタンク間を結ぶオイル戻し導管の少なくとも何れか一方がエンジン本体外に配設されることにより，エンジン本体の薄肉化及びコンパクト化を妨げる要因が少なくなるので，エンジンの軽量化に大いに寄与することができる。そして，外部配置のオイル送り導管及びオイル戻し導管は，エンジン本体からの熱の影響を受け難くなるので，潤滑用オイルの過熱を回避することができる。
【００５０】
また本発明の第２の特徴によれば，シリンダヘッドに，動弁カム室の上部に隣接してオイル戻し導管が接続される吸い上げ室を設け，この吸い上げ室を，高低位置を異にする複数のオリフィスを介して動弁カム室に連通したので，動弁カム室でオイルミストが液化して溜まっても，この液化オイルを，エンジンの正立，倒立の状態に拘らず，何れかのオリフィスを通して吸い上げ室に吸い上げてオイルタンクに戻し，動弁カム室にオイルが滞留することを防ぐことができる。
【図面の簡単な説明】
【図１】  本発明のハンドヘルド型四サイクルエンジンの一使用例を示す斜視図。
【図２】  上記四サイクルエンジンの縦断側面図。
【図３】  図２の要部拡大図。
【図４】  図３のカム軸周りの拡大縦断面図。
【図５】  図３の５−５線断面図。
【図６】  上記エンジンの潤滑装置系統図。
【図７】  図３の７−７線断面図。
【図８】  図７の８−８線断面図。
【図９】  ヘッドカバーの底面図。
【図１０】  エンジンの種々の運転姿勢におけるシリンダヘッドでの溜まりオイルの吸い上げ作用説明図。
【図１１】  オイル送り導管及びオイル戻し導管の変形例を示す，図７に対応した断面図。
【符号の説明】
Ｅ・・・・・エンジン
Ｏ・・・・・潤滑用オイル
１・・・・・エンジン本体
６・・・・・クランクケース
６ａ・・・・クランク室
７・・・・・シリンダブロック
７ａ・・・・シリンダボア
８・・・・・シリンダヘッド
９・・・・・吸気ポート
１０・・・・排気ポート
１３・・・・クランク軸
１５・・・・ピストン
１８・・・・吸気弁
１９・・・・排気弁
２６・・・・カム軸
３５・・・・タイミング伝動装置
４０・・・・オイルタンク
４９・・・・動力取出し機構（遠心クラッチ）
５３・・・・動弁機構
５５・・・・通孔
５６・・・・オイルミスト生成手段（オイルスリンガ）
６０・・・・オイル送り導管
６１・・・・弁手段（一方向弁）
７３・・・・オリフィス
７４・・・・吸い上げ室
７８・・・・オイル戻し導管
【図１】
0003845243.tif 000002
【図２】
0003845243.tif 000003
【図３】
0003845243.tif 000004
【図４】
0003845243.tif 000005
【図５】
0003845243.tif 000006
【図６】
0003845243.tif 000007
【図７】
0003845243.tif 000008
【図８】
0003845243.tif 000009
【図９】
0003845243.tif 000010
【図１０】
0003845243.tif 000011
【図１１】
0003845243.tif 000012